(57)【要約】【課題】大粒の水滴の室内への放出を阻止するミスト発生装置を提供する。【解決手段】器具本体１と、該器具本体１内に設置され所定量の水を貯水する貯水室８と、該貯水室８内の水を回転による遠心力で吸い上げて飛散させて破砕し、ナノミストと負イオンを発生させるミスト発生部１５と、吸引した室内空気をミスト発生部を通すことで空気中の塵、埃を貯水室８の水の中に捕集させると共に、浄化された空気をナノミストと負イオンと共に室内に供給する送風ファン１６と、気水分離部１９とを備えたもので、前記気水分離部１９は２枚のバッフル板２０、２１で構成され、下側の第１バッフル板２０は上向きに傾斜しており、上側の第２バッフル板２１は下向きに傾斜すると共に、先端部には金属メッシュ或いは金網からなる水滴保持部２２を備えた。【選択図】  図２
2015222156.tif 000002
【特許請求の範囲】
【請求項１】
器具本体と、該器具本体内に設置され所定量の水を貯水する貯水室と、該貯水室内の水を回転による遠心力で吸い上げて飛散させて破砕し、ナノミストと負イオンを発生させるミスト発生部と、吸込口から吸引した室内空気をミスト発生部を通すことで空気中の塵、埃を貯水室の水の中に捕集させると共に、浄化された空気をナノミストと負イオンと共に送風口より室内に供給する送風ファンと、前記ミスト発生部から送風口までの間で大粒の水滴を除去して貯水室に戻す気水分離部とを備えたものに於いて、前記気水分離部は送風通路の途中の対向する壁に上下互い違いに設けられた２枚のバッフル板で構成され、下側の第１バッフル板は上向きに傾斜しており、上側の第２バッフル板は下向きに傾斜すると共に、先端部には金属メッシュ或いは金網からなる水滴保持部を備えた事を特徴とするミスト発生装置。
【発明の詳細な説明】
【技術分野】
【０００１】
この発明は、ミスト発生部で発生させたナノミストと負イオンを室内に供給するミスト発生装置に関するものである。
【背景技術】
【０００２】
従来よりこの種のものに於いては、水を破砕することで発生する負イオンとミストの加湿空気を室内に供給する時、この負イオンとミストを含む加湿空気中には該ミストより大きな水滴が混入しており、加湿空気と共にこの水滴が室内に放出されると床面を濡らしたり、直接人にかかって不快な思いをさせる危険を有していたので、加湿空気の送風口の手前には、バッフル板（邪魔板）からなる気水分離部を備え、加湿空気中に含まれている大粒な水滴が室内に放出されるのを阻止するものであった。（特許文献１参照）
【先行技術文献】
【特許文献】
【０００３】
【特許文献１】特開２００９−２９９９８２号公報
【発明の概要】
【発明が解決しようとする課題】
【０００４】
ところでこの従来のものでは、２枚のバッフル板は共に下方傾斜しているので、大型のミスト発生装置で送風ファン能力が上がった場合には、バッフル板の下端に溜まった水滴が風で千切れ飛び、簡単に室内に放出されてしまうと言う課題を有するものであった。
【課題を解決するための手段】
【０００５】
この発明は上記の課題を解決する為に、特にその構成を、器具本体と、該器具本体内に設置され所定量の水を貯水する貯水室と、該貯水室内の水を回転による遠心力で吸い上げて飛散させて破砕し、ナノミストと負イオンを発生させるミスト発生部と、吸込口から吸引した室内空気をミスト発生部を通すことで空気中の塵、埃を貯水室の水の中に捕集させると共に、浄化された空気をナノミストと負イオンと共に送風口より室内に供給する送風ファンと、前記ミスト発生部から送風口までの間で大粒の水滴を除去して貯水室に戻す気水分離部とを備えたものに於いて、前記気水分離部は送風通路の途中の対向する壁に上下互い違いに設けられた２枚のバッフル板で構成され、下側の第１バッフル板は上向きに傾斜しており、上側の第２バッフル板は下向きに傾斜すると共に、先端部には金属メッシュ或いは金網からなる水滴保持部を備えたものである。
【発明の効果】
【０００６】
以上のようにこの発明によれば、気水分離部の下側の第１バッフル板は、上向きに傾斜しているので、先端部に水滴が集まることがなく加湿空気から除去された大粒の水滴は、第１バッフル板の傾斜に沿って流下し、そしてこの第１バッフル板が取り付けられている壁面を伝わって貯水室へ戻されるものであり、途中で水滴が落下してポチャ、ポチャ音を発することなく静かで、又第１バッフル板は上向きで風速が大きく抑えられることなく勢い良く上方に抜けることが出来るものであり、更にここを抜けた加湿空気は上方の下向き傾斜の第２バッフル板では、風速が抑えられて大粒の水滴を良好に除去することが出来、しかも除去された水滴は下向き傾斜に沿って第２バッフル板の先端部に達するが、この先端部には金属メッシュ或いは金網からなる水滴保持部が備えられているので、集められた水滴は表面張力が強くなり、従来のように下向き傾斜した第２バッフル板の下端で、水滴が風で千切れ飛ぶことがなく安心で、大粒の水滴の放出が確実に阻止され、発生したナノミストと負イオンの室内への放出で良好に室内を清浄化することが出来、更に吸引した室内空気がミスト発生部を通過することで、室内空気中の塵や埃が除去されて更に室内空気を浄化することが出来、負イオンの室内への放出と相俟って清々しく爽快な気分が得られる室内環境を形成することが出来るものである。
【図面の簡単な説明】
【０００７】
【図１】本発明の一実施形態の外観を説明する斜視図。
【図２】同実施形態の概略構成図。
【図３】同実施形態の要部説明図。
【図４】同実施形態の制御ブロック図。
【図５】同実施形態の操作部を説明する図。
【図６】同実施形態を説明する要部拡大図。
【図７】同実施形態の運転開始から終了までを説明するフローチャート。
【図８】同実施形態のクリーニングモードを説明するフローチャート。
【発明を実施するための形態】
【０００８】
次にこの発明の一実施形態におけるミスト発生装置を図に基づいて説明する。
１は器具本体、２は器具本体１上部に形成され複数のルーバー３が設置された送風口、４は器具本体１の正面上部を構成する上面パネル、５は器具本体１の正面下部を構成する下面パネル、６は複数のスイッチが備えられ各種操作指令を行う操作部、７はブレーカー（図示せず）を隠すブレーカーカバーである。
【０００９】
８は上面パネル４内に設置され所定量の水を貯水する貯水室であり、この貯水室８内には、貯水された水に下端を水没させ駆動軸９に軸支された筒状の回転体１０が備えられている。
【００１０】
前記回転体１０は、中空逆円錐形で上方に向かって径が徐々に拡大するものであり、駆動軸９に接続され回転体１０を回転駆動させるミストモータ１１を駆動させ、回転体１０が回転することによる回転の遠心力で貯水室８の水を汲み上げ、回転体１０の外壁および内壁を伝わせて水を押し上げて、回転体１０の外壁を伝わせて押し上げた水を周囲に飛散させると共に、回転体１０の内壁を伝わせて押し上げた水を回転体１０の上部に形成された複数の飛散口１２から周囲に飛散させる。
【００１１】
１３は回転体１０の上部外周に所定間隔を離間させて位置し、回転体１０と共に回転する円筒状の多孔体で、該多孔体１３には、その全周壁に多数のスリットや金網やパンチングメタル等から成る衝突体としての多孔部１４が設置されており、前記回転体１０、前記ミストモータ１１及び前記多孔体１３でミスト発生部１５が構成されている。
【００１２】
前記ミスト発生部１５を構成するミストモータ１１を駆動させ、回転体１０を回転させたことで発生する遠心力で貯水室８内の水を汲み上げると共に空気を飛散させ、多孔部１４を通過した水滴が破砕されることで、水の粒子を微細化してナノメートル（ｎｍ）サイズのナノミストが生成すると共に、水の粒子の微細化によるレナード効果で負イオンを多量に発生させるものである。
【００１３】
１６は下面パネル５内に設置され所定の回転数で駆動することで室内空気を吸引して器具本体１の上部に吹き出す送風ファン、１７は貯水室８と送風口２との間に設置され、貯水室８内で発生したナノミストと負イオンを含む加湿空気を送風口２まで流通させる送風通路であり、前記送風ファン１６が所定の回転数で駆動すると、器具本体１低部に形成された吸込口１８から吸い込んだ室内空気を器具本体１の上部に向けて送風され、貯水室８に設置された回転体１０の上部にある空気流入口８ａから送風ファン１６によって送風された室内空気が流入し、貯水室８内で流入した室内空気がナノミストと負イオンとを含んだ加湿空気になり、該加湿空気が前記送風通路１７内を上昇して送風口２から室内へ送風されることで、加湿空気を室内に供給することが出来るものであり、又室内空気がミスト発生部１５を通過することで、貯水に直接ぶつかったり、ミスト発生部１５で発生し自重で貯水室８に落下する大きめのナノミストに絡め取られる形で、室内空気中の塵や埃、臭気等が除去され、大きめのナノミストと共に貯水室８の貯水の混入し、室内空気を浄化して綺麗な状態にしてナノミストと負イオンと共に室内に放出されるものである。
【００１４】
１９はミスト発生部１５から送風口２までの間で大粒の水滴を除去して貯水室８に戻す気水分離部で、前記気水分離部１９は送風通路１７の途中の対向する壁に上下互い違いに設けられた２枚のバッフル板２０、２１で構成され、下側の第１バッフル板２０は上向きに傾斜しており、上側の第２バッフル板２１は下向きに傾斜すると共に、水滴が集まる先端部には金属メッシュ或いは金網からなる水滴保持部２２をややＵ字状に折り曲げて備えており、水滴の表面張力がＵ字状部で接触面積が広くなることで強力となり、強力な風でも千切れ飛ぶことが阻止されるものであり、先ず下側の第１バッフル板２０は上向きに傾斜しているので、先端部に水滴が集まることがなく加湿空気から除去された大粒の水滴は、第１バッフル板２０の傾斜に沿って流下し、そしてこの第１バッフル板２０が取り付けられている壁面を伝わって貯水室８へ戻されるものであり、途中で水滴が落下してポチャ、ポチャ音を発することなく静かで、又第１バッフル板２０は上向きで風速が大きく抑えられることなく勢い良く上方に抜けることが出来るものであり、更にここを抜けた加湿空気は上方の下向き傾斜の第２バッフル板２１では、風速が抑えられて大粒の水滴を良好に除去することが出来、しかも除去された水滴は下向き傾斜の第２バッフル板２１を伝って先端部の水滴保持部２２に集中するが、該水滴保持部２２では水滴の表面張力が強力となり、強い風でも千切れ飛ぶことがなく安心して使用出来、大粒の水滴の放出が確実に阻止されるものであり、この水滴は最終的には強い風でも飛ばない大きなかたまりとなって、第１バッフル板２０の上に落ちて貯水室８へ戻されるものである。
【００１５】
２３はミスト発生部１５に供給される水から塵、埃を除去するフィルター部で、回転体１０の水没した下端を水中で取り囲むように設置された凹状で、水は通すが細かな塵や埃は通さない耐熱性の金網やスポンジ材で形成され、定期的な清掃が容易に行えるように取り外し容易に設置されているものである。
【００１６】
２４は貯水室８内に設置され貯水を加熱する加熱ヒータであり、貯水室８の外壁に設置された貯水温度を検知する貯水温度センサ２５で検知される温度が所定温度となるよう、ＯＮ／ＯＦＦ状態を適宜切り替えるものである。
【００１７】
２６は貯水室８内に設置され、フロートが上下することで水位を検知する水位センサで、貯水室８内の水位が低下して所定水位以下になったらＯＦＦ信号を出力し、水位が上昇して所定水位以上になったらＯＮ信号を出力し、更に水位が上昇して貯水室８内が満水となったら満水信号を出力するものである。
【００１８】
２７は貯水室８に接続され、貯水室８内に市水を給水する給水管であり、該給水管２７の配管途中には、電磁弁を開閉して貯水室８内への給水を制御する給水弁２８と、給水圧を所定値まで減圧する減圧弁２９とが備えられている。
【００１９】
３０は貯水室８底部に接続され、貯水室８内の水を器具本体１外部に排水する硬質塩化ビニル管で構成された排水管であり、該排水管３０の配管途中には、電磁弁を開閉して貯水室８内の水の排水を制御する排水弁３１が備えれている。
【００２０】
３２は送風口２の壁面に設置され、送風口２から室内へ向けて送風される加湿空気の温度を検知する送風温度センサ、３３は送風ファン１６の近傍に設置され、送風ファン１６で吸い込む室内空気の温度を検知する吸気温度センサ、３４は前記吸気温度センサ３３の近傍に設置され、器具本体１が設置された室内の湿度を検知する湿度センサであり、各センサで検知された温度や湿度に基づいて、ミストモータ１１や送風ファン１６の回転数を変化させ、加熱ヒータ２４のＯＮ／ＯＦＦ状態を切り替えるものである。
【００２１】
又前記操作部６には、運転開始及び停止を指示する運転スイッチ３５と、加熱ヒータ２４のＯＮ／ＯＦＦ状態を切り替えることで貯水室８内の貯水温度を変化させ、送風口２から室内に送風される加湿空気に含有可能な水分量の割合を変化させた３段階の加湿レベルと、湿度センサ３４で検知された湿度が予め設定された湿度となるよう前記加湿レベルを変化させるオートモードとから選択可能な加湿スイッチ３６と、ミストモータ１１と送風ファン１６との回転数の大小を設定可能な三段階の風量レベルと、湿度センサ３４で設定された湿度が予め設定された湿度となるよう前記風量レベルを変化させるオートモードとから選択可能な風量スイッチ３７と、加湿空気を室内に供給するミスト運転の開始時間と停止時間とを設定するタイマー切替スイッチ３８と、前記加湿スイッチ３６及び前記風量スイッチ３７での設定に関わらず、消費電力の低いミスト運転であるエコモードを設定するエコモードスイッチ３９と、現在時刻を設定する時刻設定スイッチ４０と、スイッチを操作することで運転停止以外の動作を禁止するチャイルドロックスイッチ４１とが備えられている。
【００２２】
又操作部６の各スイッチ上部には各スイッチに対応したランプが備えられており、運転スイッチ３５が操作されたら点灯する運転ランプ４２と、ミスト運転が所定時間以上継続したら開始する除菌運転時に点灯する除菌ランプ４３と、加湿スイッチ３６で設定された加湿レベルを１から３の数値とオートモードを示すＡで表示する加湿レベルランプ４４と、風量スイッチ３７で設定された風量レベルを１から３の数値とオートモードを示すＡで表示する風量レベルランプ４５と、タイマー切替スイッチ３８でミスト運転の開始及び停止が設定されたら、それぞれのランプが点灯するタイマーランプ４６と、エコモードスイッチ３９が操作されエコモードが設定されたら点灯するエコモードランプ４７と、時刻設定スイッチ４０で設定された現在時刻を表示する時刻表示パネル４８と、チャイルドロックスイッチ４１が操作されたら点灯するチャイルドロックランプ４９とが備えられている。
【００２３】
５０は各センサで検知された検知値や操作部６上に備えられた各スイッチでの設定内容に基づき、運転内容や弁の開閉を制御するマイコンで構成された制御部であり、ミストモータ１１を所定の回転数で駆動させるミストモータ制御手段５１と、送風ファン１６を所定の回転数で駆動させる送風ファン制御手段５２と、加熱ヒータ２４のＯＮ／ＯＦＦ状態を切り替えて貯水室８内の水温を制御する加熱ヒータ制御手段５３とが備えられている。
【００２４】
次にこの実施形態での運転開始から終了までの動作について図６のフローチャートに基づいて説明する。
まず、操作部６の運転スイッチ３４が操作されたか、もしくはタイマー切替スイッチ３８で設定された運転開始時刻になったら、制御部５０は、排水弁３１を開放して貯水室８内の水を排水し、水位センサ２６でＯＦＦ信号が検知されたら、給水弁２８を開放して貯水室８内を水で洗い流すクリーニング動作を行い、所定時間経過したら排水弁３１を閉止することで給水弁２８から流入する水を貯水室８内に供給し、水位センサ２６でＯＮ信号が検知されたら、所定量の水が貯水室８内に供給されたとして給水弁２８を閉止する水入替モードを行う（ステップＳ１０１）。
【００２５】
ステップＳ１０１の水入替モードが終了したら、制御部５０は、貯水温度センサ２５での検知値に基づき、加熱ヒータ２４を駆動させて貯水温度Ｔが吸気温度センサ３３で検知される室温と同一値になるまで加熱ヒータ制御手段５３で加熱ヒータ２４をＯＮ状態にして、ミストモータ１１及び送風ファン１６が所定の回転数となるようミストモータ制御手段５１及び送風ファン制御手段５２で制御する立ち上げモードを行う（ステップＳ１０２）。
【００２６】
ステップＳ１０２の立ち上げモードが終了したら、制御部５０は、加湿スイッチ３６及び風量スイッチ３７で設定された加湿レベルと風量レベルとに基づいて、ミストモータ１１と送風ファン１６とが所定の回転数で駆動するようミストモータ制御手段５１と送風ファン制御手段５２とで回転数を制御し、加熱ヒータ２４のＯＮ／ＯＦＦ状態を加熱ヒータ制御手段５３で切り替えて制御することで、加湿レベルと風量レベルとに合わせた所定の温度範囲内にするミスト運転を実行する通常運転モードを行う（ステップＳ１０３）。
【００２７】
ここで通常運転モードを詳述すると、ミストモータ制御手段５１によりミストモータ１１を８００〜１４００ｒｐｍの範囲内で回転数を変化させ、また、送風ファン制御手段５２で送風ファン１６を４００〜８００ｒｐｍの範囲内で回転数を変化させることで、風量レベルに合った回転数にしたミスト運転を行い、更に、送風温度センサ３２で検知される温度が加湿レベルに合った値となるよう貯水室８内の貯水温度を変化させ、貯水温度センサ２５で検知される温度が約３０〜４０℃の範囲内で推移するように加熱ヒータ２４のＯＮ／ＯＦＦ状態を加熱ヒータ制御手段５３で切り替えて制御する。
【００２８】
ステップＳ１０３の通常運転モードの終了条件を満たしたら、制御部５０は、ミストモータ１１を停止させてから排水弁３１を開弁して貯水室８内の水を排水し、所定時間経過したら給水弁２８を開放して貯水室８内を洗浄してから排水弁３１を閉止して貯水室８内に所定量だけ貯水する水入替運転を行い、加熱ヒータ２４をＯＮ状態にして水を加熱することで除菌を行う除菌運転を所定時間行い、所定時間経過後に貯水室８内を冷却して貯水室８内の水を排水する冷却運転を実行するクリーニングモードを行う（ステップＳ１０４）。
【００２９】
次にこの実施形態におけるクリーニングモードについて、図７のフローチャートに基づいて詳述する。
まず、前記ステップＳ１０４のクリーニングモードが開始されたら、制御部５０は、ミストモータ１１を停止させてから排水弁３１を開弁して貯水室８内の水を排水し、８分経過したら、給水弁２８を開放して流水によって貯水室８内を洗浄し、２０秒経過したら給水弁２８を閉止して再度貯水室８内の排水を行い、８分経過したら排水弁３１を閉止して給水弁２８を開放することで貯水室８内に貯水し、水位センサ２６でＯＮ信号が検知されたら、給水弁２８を閉止する水入替運転を行う（ステップＳ２０１）。
【００３０】
ステップＳ２０１で水入替運転を行ったら、制御部５０は、加熱ヒータ２４をＯＮ状態に切り替え、ミストモータ１１をミスト運転時の回転数より低い所定の低回転数（例えば、６００ｒｐｍ）で駆動するようミストモータ制御手段５１で制御し、更に送風ファン１６をミスト運転時の回転数より低い所定の低回転数（例えば、２００ｒｐｍ）で駆動するよう送風ファン制御手段５２で制御する除菌運転を開始することで（ステップＳ２０２）、貯水室８内の水を混ぜて貯水室８内の水をムラなく高め、送風口２に結露が発生するのを防止する。
【００３１】
ステップＳ２０２で加熱ヒータ２４をＯＮ状態にしてミストモータ１１を駆動させたら、制御部５０は、貯水温度Ｔが６５℃を超えたら加熱ヒータ２４をＯＦＦ状態にして加熱を停止させ、貯水温度Ｔが６３℃未満となったら加熱ヒータ２４をＯＮ状態にして再度加熱するよう加熱ヒータ制御手段５３で加熱ヒータ２４を制御し、貯水室８内の貯水温度を除菌可能な温度である６５℃付近で保持する加熱動作を行うことで、貯水室８内の貯水を除菌する（ステップＳ２０３）。
【００３２】
ステップＳ２０３で貯水室８内の水を６５℃付近に制御する加熱動作を開始したら、制御部５０は、加熱動作時に貯水温度センサ２５での検知温度が６５℃を超えて、加熱ヒータ２４がＯＦＦ状態に切り替わった最初の時点から経過した時間をカウントし、カウントした時間が１０分経過したか判断して（ステップＳ２０４）、１０分経過していれば、加熱ヒータ２４をＯＦＦ状態にして除菌運転を終了させ、１０分経過していなければ、ステップＳ２０３での加熱動作を続行する。
【００３３】
ステップＳ２０４で除菌運転が終了したら、制御部５０は、給水弁２８を開放して貯水室８内への給水を開始し、送風ファン１６を所定の回転数で駆動させ、貯水室８内の貯水温度を排水可能な温度まで低下させる冷却運転を行い（ステップＳ２０５）、貯水室８内の貯水温度が排水可能な温度まで低下し排水が完了したらクリーニングモードを終了する。
【００３４】
ステップＳ１０４のクリーニングモードが終了したら、制御部５０は、送風ファン１６が所定の回転数（例えば、８００ｒｐｍ）で駆動するよう送風ファン制御手段５２で制御し、貯水室８や送風通路１７に送風して乾燥させることで菌の増殖を防止する乾燥モードを行い（ステップＳ１０５）、計時手段（図示せず）で送風ファン１６の駆動時間が所定時間（例えば、３時間）をカウントしたか判断し、３時間カウントしたら、送風ファン１６を停止させて運転を終了する。
【００３５】
以上のように、除菌運転時に送風ファン１６を駆動させることで、加熱ヒータ２４で加熱された貯水室８内の水が蒸発して送風口２まで水蒸気が上昇しても、送風ファン１６を駆動させることで送風口２付近の水蒸気を器具本体１の外部に飛ばすことができるため、送風口２を構成する内壁やルーバー３に結露水が付着せず、器具本体１が設置された床面が濡れるのを防止できる。
【００３６】
又送風ファン１６を２００ｒｐｍという通常運転モードにおけるミスト運転時の回転数よりも低い所定の低回転数で駆動させることで、貯水室８内で発生して送風口２まで達するナノミストの量を減らすことができ、更にミストモータ１１を６００ｒｐｍという通常運転モードにおけるミスト運転時の回転数よりも低い所定の低回転数で駆動させることで、貯水室８内でのナノミストの発生量を減らしたので、送風ファン１６を所定の低回転数で駆動していることと相俟って送風口２の内壁やルーバー３に付着する結露水の量を減少させることができる。
【００３７】
又送風ファン１６を２００ｒｐｍという所定の低回転数で駆動させているので、加熱ヒータ２４によって貯水室８の貯水温度の低下を最小限に抑えることで、貯水室８内の除菌率低下を防止することができると共に、送風ファン１６から発生する駆動音や振動について最小限に抑えることができる。
【００３８】
又送風ファン１６を駆動すると、器具本体１の下部にある吸込口１８から送風口２に向けて空気が一方的に流動することで、除菌運転時に貯水室８の空気流入口８ａから水蒸気が上昇することがないため、空気流入口８ａの上部に設置された制御部５０に結露して内部のマイコンが故障するのを防止する。
【００３９】
更に前記したように、ミスト発生部１５の回転体１０の回転で発生したナノミストと負イオンは、送風ファン１６の駆動によって流入して来る室内空気によって送風口２に運ばれ、ここから室内に放出されて新鮮な気分と心身の爽快感が得られるものであり、又このナノミストと負イオンの発生時には、吸引されて室内空気中に含まれている室内の塵や埃が、貯水に直接ぶつかったり、ミスト発生部１５で発生し自重で貯水室８に落下する大きめのナノミストに絡め取られる形で、室内空気中の塵や埃、臭気等が除去され、大きめのナノミストと共に貯水室８の貯水の混入し、室内空気を浄化して綺麗な状態にしてナノミストと負イオンと共に室内に放出されるものであり、そして貯水室８の貯水に混入した塵や埃が水と共にミスト発生部１５に供給されようとするが、回転体１０の水没した下端は、凹状のフィルター部２３によって水中で取り囲まれているので、回転体１０に供給される水は常にフィルター部２３を通過して、塵や埃が除去された綺麗で清潔な水のみが供給されて、衛生的なナノミストと負イオンが生成され、これが室内に放出されると共に再び室内空気がミスト発生部１５に供給されて塵や埃、雑菌、臭気等が除去され、繰り返しこの循環が行われることにより、室内は徐々に綺麗で爽快な空気の状態となり、更に新鮮な気分と心身の爽快感が得られるものである。
【００４０】
又フィルター部２３は、クリーニングモードの終了後などに定期的に取り外して清掃するなどのメンテナンスを行うことで、除去性能を維持しながら長期に渡って継続して使用出来るものである。
【００４１】
更に前記したようにミスト発生部１５で発生したナノミストと負イオンの加湿空気は、送風口２から室内に放出されるが、その前に送風口２の手前の気水分離部１９に大粒の水滴を含んだこの加湿空気が供給され、前記気水分離部１９は送風通路１７の途中の対向する壁に上下互い違いに設けられた２枚のバッフル板２０、２１で構成され、下側の第１バッフル板２０は上向きに傾斜しており、上側の第２バッフル板２１は下向きに傾斜すると共に、水滴が集まる先端部には金属メッシュ或いは金網からなる水滴保持部２２をややＵ字状に折り曲げて備えており、水滴の表面張力がＵ字状部で接触面積が広くなることで強力となり、強力な風でも千切れ飛ぶことが阻止されるものであり、先ず下側の第１バッフル板２０は上向きに傾斜しているので、先端部に水滴が集まることがなく加湿空気から除去された大粒の水滴は、第１バッフル板２０の傾斜に沿って流下し、そしてこの第１バッフル板２０が取り付けられている壁面を伝わって貯水室８へ戻されるものであり、途中で水滴が落下してポチャ、ポチャ音を発することなく静かで、又第１バッフル板２０は上向きで風速が大きく抑えられることなく勢い良く上方に抜けることが出来るものであり、更にここを抜けた加湿空気は上方の下向き傾斜の第２バッフル板２１では、風速が抑えられて大粒の水滴を良好に除去することが出来、しかも除去された水滴は下向き傾斜の第２バッフル板２１を伝って先端部の水滴保持部２２に集中するが、該水滴保持部２２では水滴の表面張力が強力となり、強い風でも千切れ飛ぶことがなく安心して使用出来、大粒の水滴の放出が確実に阻止されるものであり、この水滴は最終的には強い風でも飛ばない大きなかたまりとなって、第１バッフル板２０の上に落ちて貯水室８へ戻されるものであり、発生したナノミストと負イオンの室内への放出で良好に室内を清浄化することが出来、更に吸引した室内空気がミスト発生部を通過することで、室内空気中の塵や埃が除去されて更に室内空気を浄化することが出来、負イオンの室内への放出と相俟って清々しく爽快な気分が得られる室内環境を形成することが出来るものである。
【符号の説明】
【００４２】
１  器具本体
２  送風口
８  貯水室
１０  回転体
１１  ミストモータ
１３  多孔体
１５  ミスト発生部
１６  送風ファン
１７  送風通路
１９  気水分離部
２０  第１バッフル板
２１  第２バッフル板
２２  水滴保持部
【図１】
2015222156.tif 000003
【図２】
2015222156.tif 000004
【図３】
2015222156.tif 000005
【図４】
2015222156.tif 000006
【図５】
2015222156.tif 000007
【図６】
2015222156.tif 000008
【図７】
2015222156.tif 000009
【図８】
2015222156.tif 000010